(57)【特許請求の範囲】
【請求項１】
遮断器本体と引出枠を有する引出型回路遮断器の誤挿入防止装置であって、
前記遮断器本体に設けられた本体側ブロック部材と、
前記引出枠の対向する側板に設けられた枠側ブロック部材とを有し、
前記遮断器本体を仕様の合致した組み合わせでない前記引出枠に挿入する操作が行われたとき前記本体側ブロック部材が前記枠側ブロック部材と係合するように前記両ブロック部材が取り付けられたものにおいて、
前記枠側ブロック部材の前記本体側ブロック部材との係合面は前記側板から斜め内側方向でかつ前記遮断器本体の挿入口方向に向かうように形成され、
前記本体側ブロック部材の前記枠側ブロック部材との係合面は前記遮断器本体から斜め外側方向でかつ前記遮断器本体の挿入方向へ向かうように形成されていることを特徴とする引出型回路遮断器の誤挿入防止装置。
【発明の詳細な説明】
【０００１】
【発明の属する技術分野】
本発明は、遮断器本体を引出枠から取出し及び挿入可能な引出型回路遮断器において、取出した遮断器本体を再挿入するとき異なる引出枠に挿入することを防止する誤挿入防止装置に関する。
【０００２】
【従来の技術】
引出型回路遮断器は構造物に固定される引出枠と引出枠から取外し及び挿入自在の遮断器本体とからなり、遮断器本体は引出枠の対向する側板の間を引出枠の挿入口から引出枠のレール部材に沿って奥の方へ直線的に挿入される。
【０００３】
大きな電気室には引出枠も遮断器本体も外観形状が同じ引出型回路遮断器が複数備えられることが多い。このような引出型回路遮断器の保守点検作業は引出枠から遮断器本体を取り外して行われ、作業終了後遮断器本体を元の引出枠に戻す。しかし、それぞれの遮断器は、電路に応じて互いに異なる仕様で製造されることが多く、これらの異なる仕様は外観上一見して区別できないこともある。したがって、遮断器本体を確実に元の引出枠に挿入することができるように誤挿入防止装置が用意されている。
【０００４】
従来の誤挿入防止装置は、例えば図５に示されるように、引出枠の側板１０の内側にこの側板１０と直交するように張り出して設けられる枠側ブロック部材１１と、遮断器本体１２の側方から引出枠の側板方向に直交するように張り出す本体側ブロック部材１３とからなり、枠側ブロック部材１１と本体側ブロック部材１３を遮断器ごとに上下方向の位置を変えて取り付けできるようにしている。そして、遮断器本体を仕様の合致した組み合わせの引出枠に挿入するときは互いに係合しないような位置に両ブロック部材を取り付け、仕様の合致した組み合わせでない引出枠に挿入する操作が行われたときは互いに係合するように両ブロック部材を取り付ける。
【０００５】
【発明が解決しようとする課題】
このような誤挿入防止装置は、誤って遮断器本体を仕様の合致した組み合わせでない引出枠に挿入しようとしたとき両ブロック部材が係合し挿入が阻止される。にも拘わらず、誤ってさらに強い力で挿入操作が行われることもある。このとき、図６に示すごとく枠側ブロック部材１１が少しでも撓んだり変形したりすると、側板１０が外側に撓み両ブロック部材の係合点が横滑りして係合が解消し遮断器本体を挿入できてしまうという可能性があった。
【０００６】
このような従来の誤挿入防止装置の問題を解消するため、容易にたわまないような厚みの側板を使用する必要があったため、部品加工や組立作業を容易にできないという問題があった。
【０００７】
【課題を解決するための手段】
上記の問題を解決するために、本発明は、遮断器本体と引出枠を有する引出型回路遮断器の誤挿入防止装置であって、遮断器本体に設けられた本体側ブロック部材と、引出枠の対向する側板に設けられた枠側ブロック部材とを備え、遮断器本体を仕様の合致した組み合わせでない引出枠に挿入する操作が行われたとき本体側ブロック部材が枠側ブロック部材と係合するように両ブロック部材が取り付けられたものにおいて、枠側ブロック部材の本体側ブロック部材との係合面は側板から斜め内側方向でかつ遮断器本体の挿入口方向に向かうように形成され、本体側ブロック部材の枠側ブロック部材との係合面は遮断器本体から斜め外側方向でかつ遮断器本体の挿入方向へ向かうように形成されていることとしている。
【０００８】
そして、このような構成により、仕様の合致した組み合わせでない引出枠に遮断器本体を挿入する操作を行ったとき、本体側ブロック部材と枠側ブロック部材が係合し遮断器本体の挿入は阻止される。さらに挿入操作が続行されたとき、挿入力は枠側ブロック部材の係合面を介して引出枠の側板を内側に湾曲させるように作用し、たとえ湾曲しても本体側ブロックが枠側ブロックの係合面上を摺動して係合余裕が増加するため確実に遮断器本体が挿入を阻止できる。
【０００９】
【発明の実施の形態】
本発明の実施の形態を、図１ないし図４に示される実施例において説明する。図２において、この実施例の誤挿入防止装置を装着する引出型回路遮断器は引出枠１と遮断器本体２とからなり、引出枠１の左右両側板３の内側にはレール４が設けられ、遮断器本体２の左右両側には車輪５が設けられている。そして、遮断器本体２を引出枠１に挿入するときは、車輪５をレール４にのせて引出枠1の両側板３の間の挿入口から遮断器本体２を奥の方向へ移動させる。
【００１０】
この実施例による誤挿入防止装置は、引出枠の側板３の内側に取り付けられた枠側ブロック部材６と遮断器本体２の側方に取り付けられた本体側ブロック部材７とからなる。なお、図２において両部材は右側にしか図示されていないが、左側又は左右両側に設けられてもよい。
【００１１】
図３及び図４は、図２の要部を正面から見た図である。枠側ブロック部材６と本体側ブロック部材７はねじで取り付けられており、両ブロック部材の双方又は一方の取付け位置を上下方向に変えることができるように複数のねじ用の孔が形成されている。枠側ブロック部材６のブロック片６ａには切欠き６ｂが形成されており、仕様の合致した組み合わせの引出枠１に遮断器本体２が挿入されるときは、図３のごとく切欠き６ｂと本体側ブロック部材７のブロック片７ａの上下方向の位置が一致するように取り付けられている。このため、ブロック作用が生じることなく遮断器本体２を挿入できる。
【００１２】
一方、仕様の合致した組み合わせでない場合は、図４のごとく切欠き６ｂとブロック片７ａの上下方向の位置が一致しないため、遮断器本体２を挿入する操作が行われたときブロック片６ａとブロック片７ａが係合して挿入操作が阻止される。図１は、この状態を示す要部の平面図である。
【００１３】
図１に示されているように、枠側ブロック部材６のブロック片６ａは、側板３に対して直角方向ではなく、遮断器本体２を挿入する挿入口方向を向くように斜めに曲げられている。したがって、ブロック片６ａとブロック片７ａが係合した状態でさらに挿入操作が続行されると、直角に係合する場合に比べて挿入力の分力が枠側ブロック部材に作用するため枠側ブロック部材が変形したり撓んだりすることが少ない。また、係合点における他方の分力は側板３を内側に湾曲させるように作用するため、係合点が移動する場合は係合余裕が増える方向、すなわち側板３側、に移動し、双方の係合が解消することはなく、遮断器本体が挿入されることを防止できる。
【００１４】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００１５】
【発明の効果】
本発明は、以上説明した形態で実施され、遮断器本体を仕様の合致した組み合わせでない引出枠に挿入する操作を行い、本体側ブロック部材が枠側ブロック部材と係合した後、さらに操作が続行されても係合点が係合余裕が増える方向に移動するため遮断器本体の挿入を防止できるという効果を奏する。
【図面の簡単な説明】
【図１】本発明による誤挿入防止装置の実施例の要部平面図である。
【図２】図１の実施例を装着した引出型回路遮断器の、遮断器本体が挿入される前の状態を示す斜視図である。
【図３】図１の要部正面図である。
【図４】図１の要部正面図である。
【図５】従来の誤挿入防止装置の要部平面図である。
【図６】従来の誤挿入防止装置の要部平面図である。
【符号の説明】
１  引出枠
２  遮断器本体
３  側板
６  枠側ブロック部材  （６ａ  ブロック片、  ６ｂ  切欠き）
７  本体側ブロック部材  （７ａ  ブロック片）
【図１】
0004057213.tif 000002
【図２】
0004057213.tif 000003
【図３】
0004057213.tif 000004
【図４】
0004057213.tif 000005
【図５】
0004057213.tif 000006
【図６】
0004057213.tif 000007